(57)【特許請求の範囲】
【請求項１】
海底に設置されて、上面に複数の溝が形成される支持板と、
設定された面積の板でなされて、上面及び下面に複数の溝が形成されて、上面から下面に貫通する複数の貫通孔を具備して、それぞれの溝及び貫通孔がお互いに垂直上下に位置されるように複数の層で設置される複数の中間板と、
複数の前記中間板のうちで最上端の中間板の上面に垂直上方に形成される遮断壁と、
複数の前記中間板のうちで最下端の中間板と前記支持板との間、及び複数の前記中間板のうちでお互いに上下に位置する中間板らの間にそれぞれの対向する溝に合わせて垂直で設置される複数の柱と、及び
設定された面積の板でなされて、複数の前記中間板のうちで最上端の中間板の上面に複数の前記柱を垂直で形成した後複数の前記柱及び前記遮断壁を覆って積層される覆板と、
を含んで、
それぞれの前記中間板は、上面及び下面にお互いに反対方向に同一な位置に溝が形成されて、
それぞれの前記中間板及び前記支持板は、横及び縦方向に溝と貫通孔が設定された間隔でお互いに交番して形成されることを特徴とする防波堤構造物。
【請求項２】
それぞれの前記中間板及び前記支持板は設定された直径で溝が形成されて、
それぞれの前記柱はそれぞれの前記中間板または前記支持板に形成された溝以下の直径を有する円筒状でなされることを特徴とする請求項１に記載の防波堤構造物。
【請求項３】
それぞれの前記中間板及び前記覆板は内海に向ける側面が複数の半円形桶状で形成されることを特徴とする請求項１に記載の防波堤構造物。
【発明の詳細な説明】
【技術分野】
【０００１】
本発明は、防波堤構造物に関するものであり、より詳細には、建築工程を単純化して、建築工程で波や波浪によって破損されることを防止し、波や波浪を安定的に減少させることができる防波堤構造物に関するものである。
【背景技術】
【０００２】
一般に、港湾や海岸には防波堤がほとんど必須に設置されて、このような防波堤はさまざまな形態と多様な施工法で設置されている。
【０００３】
草創期の防波堤は、ある程度高い波を阻むことができる高さで設置され、防波堤が設置される区間は内海と外海が遮断されるようになった。しかし、このように海水を閉じこめて置く形態で防波堤を建設するようになることで、海水の流出入が円滑になされなくて内海側の海水が汚染して、各種汚物が積もって、ひどい場合には悪臭が発生するようになる。これにより内海側干潟や海底の生態系は完全に破壊されたと言っても過言ではない。
【０００４】
さらに、前述した防波堤は、防波堤にぶつかった海水に大きい反撥力が生じながら後にぞくぞく差しこむ海水が合わせられてさらに大きいエネルギーで防波堤を殴るようになって、その結果、波高がますます高くなってひどくなれば防波堤を越して内海に入って行くようになる問題点がある。
【０００５】
このような問題点を改善するために海水が流通することができるようにする多様な構造の防波堤が提案された。これらのうちで一つが大韓民国特許第７７０２３８号の“防波堤構築用単位ブロック”らを利用した防波堤である。
【０００６】
図１は、従来技術による防波堤構築用単位ブロックを利用して施工された防波堤の概略的な正面図を示す。
【０００７】
図１を参照すれば、単位ブロックは上板１０と下板２０が複数の柱３０によって連結されて一体をなして、上板１０と下板２０の上面と底面には結合のための噛合い顎１５と噛合い溝２５が形成されている。
【０００８】
防波堤は、噛合い顎５５が突き出されるように形成されたフレーム５０上に複数の単位ブロックの噛合い溝２５がフレーム５０の噛合い顎１５とお互いに噛合うように１次積層して、１次積層された複数の単位ブロック上に１次積層された複数の単位ブロックのそれぞれの噛合い顎１５と噛合い溝２５が噛合いながら１次積層された複数の単位ブロックとはお互いに行き違うように複数の単位ブロックを２次積層して、このような方法で複数の単位ブロックを垂直に積層して形成される。これで防波堤は、それぞれの単位ブロックらの柱らの間の空間を通じて潮流の疎通が円滑になされるようになる。
【０００９】
ところが、前述したところのような防波堤構造物は、防波堤を構築する過程で噛合い顎が破損されるか、またはひどい波によって単位ブロックが押されながら噛合い顎が破損される場合が発生することがある。このように噛合い顎が破損される場合、波や波浪によって単位ブロックが押される現象はさらに増大するようになって、防波堤構造物がその役割をまともにすることができなくなる問題点がある。
【００１０】
また、このように単位ブロックの噛合い顎が破損される場合、建築が完了した防波堤構造物で該当単位ブロックを補修することはよほど難しい作業であるだけでなく、その補修費用も相当であるという問題点がある。
【００１１】
また、前述したような防波堤構造物は、単位ブロックを積層する過程で噛合い顎をいちいち合わせながら構築しなければならないために防波堤構造物の構築に相当な時間と努力が必要となる問題点がある。
【先行技術文献】
【特許文献】
【００１２】
【特許文献１】大韓民国登録特許第１０-０７７０２３８号（２００６年１１月０６日公開）
【発明の概要】
【発明が解決しようとする課題】
【００１３】
本発明は、前述した問題点を解決するために創案されたものであり、建築工程を単純化して、建築工程で波や波浪によって破損されることを防止し、波や波浪を安定的に減少させることができる防波堤構造物を提供することを目的とする。
【課題を解決するための手段】
【００１４】
前述した目的を達成するための本発明の一実施例による防波堤構造物は、海底に設置されて、上面に複数の溝が形成される支持板と、上面及び下面に複数の溝が形成されて、上面から下面に貫通する複数の貫通孔を具備し、それぞれの溝及び貫通孔がお互いに垂直上下に位置されるように複数の層で設置される複数の中間板と、及び複数の中間板のうちで最下端の中間板と支持板との間、及び複数の中間板のうちでお互いに上下に位置する中間板らの間にそれぞれの対向する溝に合わせて垂直で設置される複数の柱と、を含むことを特徴とする。
【００１５】
前述した防波堤構造物は、複数の中間板のうちで最上端の中間板から少なくとも一つの上面に垂直上方に形成される遮断壁と、をさらに含むことができる。
【００１６】
前述した防波堤構造物は、複数の中間板のうちで最上端の中間板の上面に複数の柱を垂直で形成した後、複数の柱及び遮断壁を覆って積層される覆板と、をさらに含むこともできる。
【００１７】
それぞれの中間板は、上面及び下面にお互いに反対方向に同一な位置に溝が形成される。
【００１８】
それぞれの中間板及び支持板は、横及び縦方向に溝と貫通孔が設定された間隔にお互いに交番して形成される。
【００１９】
また、それぞれの中間板及び支持板は、設定された直径で溝が形成されて、それぞれの柱はそれぞれの中間板または支持板に形成された溝以下の直径を有する円筒状でなされる。
【００２０】
また、それぞれの中間板及び覆板は内海に向ける側面が複数の半円形桶状に形成される。
【００２１】
前述した目的を達成するための本発明の他の実施例による防波堤構造物は、海底に設置されて、上面に複数の溝が形成される支持板と、上面及び下面に複数の溝が形成されて、上面から下面に貫通する複数の貫通孔を具備して、複数個が横に羅列される単位板と、上面及び下面に複数の溝が形成されて、上面から下面に貫通する複数の貫通孔を具備して、複数の単位板上に設置される上端板と、支持板と単位板との間、及び単位板と上端板との間にそれぞれの対向する溝に合わせて垂直で設置される複数の単位柱と、及び単位板の貫通孔を貫通して支持板と上端板との間にそれぞれの対向する溝に合わせて垂直で設置される複数の張柱と、を含むことを特徴とする。
【００２２】
複数の単位板は、円板の形状で形成されることができる。
【００２３】
複数の単位板は、多角形板状で形成されることもできる。
【００２４】
複数の張柱は、内海側面と外海側面に一列で配列されるが、内海側面が外海側面より狭い間隔で配列されることが望ましい。
【００２５】
また、複数の単位板、上端板、複数の単位柱及び張柱でなされる構造が単位層を形成して、単位層が複数の層で積層されることもできる。
【発明の効果】
【００２６】
本発明によれば、防波堤構造物を全体的に建築することができるようになって建築工程を単純化して、建築工程で波や波浪によって破損されることを防止することができる。
【００２７】
また、本発明によれば、外海側から内海側に越えて来る波圧や波浪を効率的に減らすことだけではなく、内海側と外海側との間の海水の流入を自由にさせて海水が汚染することを防止することができるようになる。
【図面の簡単な説明】
【００２８】
【図１】従来技術による防波堤構築用単位ブロックを利用して施工された防波堤構造物を示した図面である。
【図２】本発明の一実施例による防波堤構造物を示した図面である。
【図３】図２に示した中間板の例を示した図面である。
【図４】図３に示した中間板のＡ-Ａ'断面を示した図面である。
【図５】図２に示した柱の例を示した図面である。
【図６】本発明の他の実施例による防波堤構造物を示した図面である。
【図７】本発明のまた他の実施例による防波堤構造物を示した図面である。
【図８】図７に示した防波堤構造物を説明するために示した図面である。
【図９】図７に示した単位板の例を示した図面である。
【発明を実施するための形態】
【００２９】
以下、添付された図面を参照して本発明の実施例による防波堤構造物を詳細に説明する。
【００３０】
図２は、本発明の一実施例による防波堤構造物を示した図面である。
【００３１】
図２を参照すれば、本発明の一実施例による防波堤構造物１００は、支持板１１０、複数の柱１２０、複数の中間板１３０、遮断壁１４０及び覆板１５０を含む。
【００３２】
支持板１１０は海底に設置されて、上面に複数の溝が形成される。この時、支持板１１０は基礎地盤１０２上に積層されることができる。ここで、基礎地盤１０２は海底底面の基礎工事でなされて、地形が不安定な海底の底面を平たくして、支持板１１０が安定的に固定されるように装着されることができるように上面に溝が形成されることができる。ここで、基礎地盤１０２は捨石で形成されることもでき、その他の多様な形態で具現されることもできる。また、基礎地盤１０２の上端に支持板１１０を積層した後、積層された支持板１１０を固定すると共に基礎地盤１０２を覆う被覆石１０４を形成することもできる。
【００３３】
基礎地盤１０２は海底面に所定深さの溝を掘った後設置されるか、または基礎地盤１０２の底面に所定長さの下方固定心を設置して該当固定心を海底に挿入して基礎地盤１０２を海底に固定させた後基礎地盤１０２の上面を平たくすることができる。また、基礎地盤１０２はその上面に支持板１１０を固定するための固定溝または固定顎を具備することもできる。または、支持板１１０は基礎地盤１０２及び被覆石１０４と一体で形成されることもできる。しかし、支持板１１０の設置方法は記載した方法に限定されるものではなくて、多様に変形された方法で設置されることもできる。また、支持板１１０はコンクリートで作われることができるが、これに限定されるものではなくて、多様な材質が活用されることもできる。
【００３４】
複数の柱１２０は複数の中間板１３０のうちで最下端の中間板１３０と支持板１１０との間、それぞれの中間板１３０らの間、最上端の中間板１３０と覆板１５０の間にそれぞれの対向する溝に合わせて垂直で設置されることができる。
【００３５】
複数の中間板１３０は、上面及び下面に複数の溝が形成されて、上面から下面に貫通する複数の貫通孔を具備し、それぞれの溝及び貫通孔がお互いに垂直上下に位置するように複数の層で設置される。すなわち、それぞれの中間板１３０は図３及び図４に示したように、それぞれのＡ-Ａ'断面を切った時に上面及び下面に複数の溝１３２が形成されて、また上面から下面に貫通する貫通孔１３４を具備する。この時、それぞれの中間板１３０は上面及び下面にお互いに反対方向に同一な位置に溝１３２を具備して、それぞれの溝１３２と貫通孔１３４は横及び縦方向に、設定された間隔でお互いに交番して設置されることが望ましい。しかし、それぞれの中間板１３０の上面及び下面に具備される溝１３２はお互いに異なる位置に設置されることもできる。同じく、支持板１１０はそれぞれの中間板１３０に形成された溝１３２らの間隔と同一な間隔で溝が形成されることが望ましい。このような中間板１３０の溝１３２及び貫通孔１３４を垂直方向で一致させて、それぞれの溝１３２に複数の柱１２０を挟んで積層することで、複数の層を形成することができる。この時、複数の柱１２０は図５に示したように設定された高さの円筒形状でなされることができるし、支持板１１０の溝、それぞれの中間板１３０の溝１３２に挟まれることができる。このために、支持板１１０の溝、及びそれぞれの中間板１３０の溝１３２は設定された直径の円形でなされて、それぞれの柱１２０の直径は支持板１１０の溝及びそれぞれの中間板１３０の溝１３２の直径以下に具現されることが望ましい。
【００３６】
遮断壁１４０は複数の中間板１３０のうちで最上端の中間板１３０から少なくとも一つの上面に垂直上方に形成される。すなわち、遮断壁１４０は上端に設置される少なくとも一つの中間板１３０の上面に垂直上方で設置されることができる。この時、遮断壁１４０は中間板１３０の製造過程で最上端に位置される中間板１３０と一体で形成されることができる。これで、防波堤構造物の上端部で波や波浪が内海側に越えてくることを最大限防止することができるようになる。
【００３７】
覆板１５０は複数の中間板１３０のうちで最上端の中間板の上面に複数の柱１２０を垂直で形成した後、複数の柱１２０及び遮断壁１４０を覆って積層される。ここで、覆板１５０はコンクリートで作われることができるが、これに限定されたものではなくて、多様な材質を活用することができる。例えば、覆板１５０は所定厚さの透明アクリル板で形成されることができるし、これを通じて防波堤内部の海水の流通過程を目で確認できるように具現されることもできる。このような覆板１５０は防波堤構造物の内部から海水が上って来ることを防止すると共に人道及び車道で使用されることができる。
【００３８】
本発明の実施例によれば、防波堤構造物は貫通孔を通じて海水が各層の上下で流通するようにして、複数の柱らの間に内海側と外海側を移動できるようにする。
【００３９】
図６は、本発明の他の実施例による防波堤構造物を示す。
【００４０】
図６を参照すれば、本発明の他の実施例による防波堤構造物２００は、支持板２１０、複数の柱２２０、複数の中間板２３０、遮断壁２４０及び覆板２５０を含む。ここで、支持板２１０、複数の柱２２０及び遮断壁２４０の構成及び機能は図２に示した支持板１１０、複数の柱１２０及び遮断壁１４０の構成及び機能と同一または類似であるので、その詳細な説明を略する。しかし、中間板２３０及び覆板２５０は図２に示した中間板１３０及び覆板１５０と異なり、その内海に向ける側面が複数の半円形の桶状で形成されることができる。また、図２に示した中間板１３０及び覆板１５０の内海側面に接して支持板２１０から円筒状の柱が立てられる形態で具現されることもできる。これを通じて、防波堤構造物の内海側に船舶が容易に接岸することができるようになる。
【００４１】
図７は、本発明のまた他の実施例による防波堤構造物を示した図面である。
【００４２】
図７を参照すれば、本発明の実施例による防波堤構造物３００は支持板３１０、複数の張柱３２０、複数の単位柱３２２、複数の単位板３３０、上端板３４０及び覆板３５０を含む。
【００４３】
支持板３１０は海底に設置されて、上面に複数の溝が形成される。ここで、支持板３１０は図２の防波堤構造物１００に示した支持板１１０とその構成及び機能が同一または類似であるので、ここではその詳細な説明を略する。
【００４４】
単位板３３０は上面及び下面に複数の溝が形成されて、上面から下面に貫通する複数の貫通孔が具備される。この時、単位板３３０は図８に示したように、複数の貫通孔のうちで少なくとも一つの貫通孔を通じて張柱３２０が貫通されることができる。また、単位板３３０は上面及び下面に形成された溝の位置にそれぞれ単位柱３２２が挟まれることができる。このような単位板３３０は複数個が平面で横に羅列されることができる。図８には単位板３３０が円形の板状でなされたものとして示したが、単位板３３０の形状は円板型に限定されるものではなくて、図９の(ａ)及び(ｂ)に示したように円板型や多角形板などの多様な形状で具現されることができる。
【００４５】
上端板３４０は上面及び下面に複数の溝が形成されて、上面から下面に貫通する複数の貫通孔が具備される。この時、上端板３４０は複数の単位板３３０上に設置されて、下面に形成された溝に張柱３２０または単位柱３２２を挟むことで一つの単位層を形成することができる。本発明の実施例による防波堤構造物３００は、このような構造の単位層らが複数の層で積層される構造でなされることもできる。
【００４６】
複数の張柱３２０は単位板３３０の少なくとも一つの貫通孔３２６を貫通して、支持板３１０と上端板３４０との間にそれぞれ対向する溝に合わせて垂直で設置される。また、複数の張柱３２０は単位板３３０の少なくとも一つの貫通孔３２６を貫通して第１上端板３４０と第２上端板３４０との間にそれぞれ対向する溝に合わせて垂直で設置されることもできる。また、複数の張柱３２０は内海側面と外海側面に一列に配列されることもできる。この場合、内海側面に配列される張柱３２０らは外海側に配列される張柱３２０らより狭い間隔で配列されることが望ましい。
【００４７】
複数の単位柱３２２は、支持板３１０と単位板３３０との間、及び単位板３３０と上端板３４０の間にそれぞれの対向する溝に合わせて垂直で設置されることができる。
【００４８】
これで、本発明の実施例による防波堤構造物は、柱の長さが短い柱と長い柱を組み合わせて防波堤構造物を構築することができるし、防波堤構造物が構築される位置の波浪の平均的な強さ、波圧などを考慮して柱の長さを多様な層に変形することもできる。これを通じて、外海側から内海側に越えて来る波圧や波浪を効率的に減らすことだけではなく、内海側と外海側との間の海水の流入が自由にさせて海水が汚染することを防止することができるようになる。
【符号の説明】
【００４９】
１００  防波堤構造物
１０２  基礎地盤
１１０  支持板
１２０  柱
１３０  中間板
１４０  遮断壁
１５０  覆板
【図１】
0005876909.tif 000002
【図２】
0005876909.tif 000003
【図３】
0005876909.tif 000004
【図４】
0005876909.tif 000005
【図５】
0005876909.tif 000006
【図６】
0005876909.tif 000007
【図７】
0005876909.tif 000008
【図８】
0005876909.tif 000009
【図９】
0005876909.tif 000010